(57)【要約】【課題】  消費電力を増加させることなく、車両後方を撮影するバックビューモニタの撮影領域を照明することを目的とする。【解決手段】  車両１後方のライセンスプレート４の上方位置に設けられる光源３１と、光源３１をライセンスプレート４側から覆い、ライセンスプレート４を照射するための第一のレンズカット３２ａと車両後方周囲の領域を撮影する撮影装置２の領域を照射するための第二のレンズカット３２ｂとを有するレンズ３２と、を備える車両用ライセンスランプである。【選択図】図２
2009255738.tif 000002
【特許請求の範囲】
【請求項１】
車両後方のライセンスプレートの上方位置に設けられる光源と、
前記光源を前記ライセンスプレート側から覆い、前記ライセンスプレートを照射するための第一のレンズカットと前記車両後方周囲の領域を撮影する撮影装置の前記領域を照射するための第二のレンズカットとを有するレンズと、を備える車両用ライセンスランプ。
【請求項２】
前記光源の照射光を反射して第二のレンズカットに入射させる反射面をさらに備える、請求項１に記載の車両用ライセンスランプ。
【発明の詳細な説明】
【技術分野】
【０００１】
本発明は、車両用ライセンスランプの照射光を他の照明に用いる技術に関する。
【背景技術】
【０００２】
近年、車両後退時の視界確保のために、車両後方をカメラで撮影しその撮影画像をディスプレイに表示する、いわゆるバックビューモニタと称される画像処理装置が利用されている。
【０００３】
バックビューモニタで撮影する場合、画像品質を向上するためには撮影領域を照明する必要がある。このようなバックビューモニタの照明装置としては、例えばライセンスプレート照明用の光源とバックビューモニタの撮影領域照明用の光源とを設けた照明装置が知られている（特許文献１参照）。
【０００４】
なお、図４は、従来の車両用ライセンスランプの側断面図である。
【特許文献１】特開２００７−１４５０４８号公報
【発明の開示】
【発明が解決しようとする課題】
【０００５】
ところで、特許文献１の技術の場合には、バックビューモニタの撮影領域に非照明領域が生じないようにするため、上述の通りライセンスプレート照明用の光源とバックビューモニタの撮影領域照明用の光源とをそれぞれ設けている。このため、特許文献１の技術では、非照明領域は生じないと考えられるものの、２種類の光源を要することから消費電力の増加のおそれがあると考えられる。
【０００６】
本発明は、以上の点に鑑みてなされたものである。すなわち、本発明は、消費電力を増加させることなく車両後方を撮影するバックビューモニタの撮影領域を照明する技術を提供することをその課題とする。
【課題を解決するための手段】
【０００７】
上記課題を解決するために、本発明は以下の手段とした。
すなわち、本発明は、車両後方のライセンスプレートの上方位置に設けられる光源と、光源をライセンスプレート側から覆い、ライセンスプレートを照射するための第一のレンズカットと前記車両後方周囲の領域を撮影する撮影装置の領域を照射するための第二のレンズカットとを有するレンズと、を備える車両用ライセンスランプである。
【０００８】
本発明では、車両後方に設けられるライセンスプレートを当該ライセンスプレートの上方の光源によって照明している。
【０００９】
ここで、本発明は、光源を覆うレンズにライセンスプレートを照射するための第一のレンズカットと車両後方周囲の領域を撮影する撮影装置の領域を照射するための第二のレンズカットとを設けて、光源の発する光を有効に利用している。
【００１０】
以上のように構成することによって、本発明によれば、消費電力を増加させることなく車両後方を撮影するバックビューモニタの撮影領域を照明できる。
【発明の効果】
【００１１】
本発明の車両用ライセンスランプによれば、消費電力を増加させることなく車両後方を撮影するバックビューモニタの撮影領域を照明するという、優れた効果を奏し得る。
【発明を実施するための最良の形態】
【００１２】
[第一の実施の形態]
以下、本発明の車両用ライセンスランプの第一の実施の形態について、添付図面を参照して説明する。
【００１３】
図１は、後方確認を行うためのバックビューモニタ用カメラ２を後方に設けた車両１に、本発明の第一の実施の形態に係る車両用ライセンスランプ３を適用した概略図である。
【００１４】
本実施の形態において、本発明の車両用ライセンスランプ３は、車両１後部のトランクリッドに取り付けられたライセンスプレート４の上方に設けられる。車両用ライセンスランプ３は、車両用後退灯具５による照射領域Ａでは照射することができないバックビューモニタ用カメラ２の撮影領域に対応した照射領域Ｂを照射する。
【００１５】
図２は、車両用ライセンスランプ３の側断面図である。
車両用ライセンスランプ３は、車両１のトランクリッドやリアパネルガーニッシュの内側に取り付けられる。車両用ライセンスランプ３は、白熱電球などの光源３１と光源３１の周囲を覆うレンズ３２とを有する。
【００１６】
ここで、レンズ３２は、車両用ライセンスランプ下方のライセンスプレート４を照射するために光源３１の光を制御する第一のレンズカット３２ａと、照射領域Ｂを照射するために光源３１の光を制御する第二のレンズカット３２ｂが設けられている。
【００１７】
すなわち、第一のレンズカット３２ａは、ほぼ車両１の前後方向と平行な向きにソケットを介して取り付けられた光源３１から車両１の下方に向けて放射される光を制御してライセンスプレート４を適切に照射する。また、第二のレンズカット３２ｂは、第一のレンズカット３２ａに入射する光よりもソケットの軸とほぼ平行な方向に放射される光を制御して照射領域Ｂを適切に照射する。
【００１８】
以上の構成により、車両用ライセンスランプ３は、バックビューモニタ用カメラ２のために別の光源を設けることなく（消費電力を増加させることなく）車両後方を撮影するバックビューモニタの撮影領域を照明することができる。
【００１９】
[第二の実施の形態]
図３は、第二の実施の形態に係る車両用ライセンスランプ３の側断面図である。
第二の実施の形態に係る車両用ライセンスランプ３は、第一の実施の形態に係る車両用ライセンスランプ３に加えて、反射面３３を有する。
【００２０】
反射面３３は、光源３１から上方（ライセンスプレート４とは反対側）に放射される光を反射して、第二のレンズカット３２ｂに入射させる。このようにすることで、車両用ライセンスランプ３は、第一の実施の形態と比較してより多くの光で照射領域Ｂを照射することができる。
【００２１】
なお、本発明において、第二のレンズカット３２ｂを設けず、反射面３３のみを用いて照射領域Ｂを照射するようにしても良い。
【図面の簡単な説明】
【００２２】
【図１】後方確認を行うためのバックビューモニタ用カメラを後方に設けた車両に、本発明の第一の実施の形態に係る車両用ライセンスランプを適用した概略図である。
【図２】車両用ライセンスランプの側断面図である。
【図３】第二の実施の形態に係る車両用ライセンスランプの側断面図である。
【図４】従来の車両用ライセンスランプの側断面図である。
【符号の説明】
【００２３】
１    車両
２    バックビューモニタ用カメラ
３    車両用ライセンスランプ
４    ライセンスプレート
５    車両用後退灯具
３１    光源
３２    レンズ
３２ａ    第一のレンズカット
３２ｂ    第二のレンズカット
３３    反射面
【図１】
2009255738.tif 000003
【図２】
2009255738.tif 000004
【図３】
2009255738.tif 000005
【図４】
2009255738.tif 000006